(57)【要約】      （修正有）【課題】帯電装置や現像装置からの高周波ノイズに起因する画像劣化を抑制することができる光書き込み装置及び画像形成装置を提供する。【解決手段】複数のＯＬＥＤ２２１をライン状に配列した光書き込み装置において、駆動ＩＣ３０１は各ＯＬＥＤ２２１の発光量を指示する制御電圧を出力する。配列方向に沿って偶数番目のＯＬＥＤ２２１には、駆動部４０１Ａが、制御電圧と基準電圧との電圧差に応じた駆動電流を供給する。また、奇数番目のＯＬＥＤ２２１には、駆動部４０１Ｂが、制御電圧と接地電圧との電圧差に応じた駆動電流を供給する。制御電圧にＡＣノイズ成分が重畳すると、配列方向偶数番目と奇数番目とでＯＬＥＤ２２１の発光量の増減が逆になるので、濃度ムラを視認し難くすることができる。【選択図】図４
2018167429.tif 000002
【特許請求の範囲】
【請求項１】
ライン状に配列された複数の電流駆動型発光素子と、
前記発光素子ごとに供給すべき駆動電流量を指示する制御電圧を出力する制御部と、
前記複数の発光素子ごとに設けられており、前記制御電圧と基準電圧との電圧差に応じて駆動電流を供給する複数の駆動部と、を備え、
前記複数の駆動部のうち、１以上の駆動部は、前記基準電圧が前記制御電圧よりも高い高圧基準駆動部として動作し、
前記１以上の駆動部以外の駆動部は、前記基準電圧が前記制御電圧よりも低い低圧基準駆動部として動作する
ことを特徴とする光書き込み装置。
【請求項２】
前記複数の発光素子は、高圧基準駆動部から駆動電流の供給を受ける１以上の発光素子と、低圧基準駆動部から駆動電流の供給を受ける１以上の発光素子と、が配列方向に沿って交互に配列されている
ことを特徴とする請求項１に記載の光書き込み装置。
【請求項３】
前記複数の駆動部はそれぞれ基準電圧と制御電圧との電圧差に応じて駆動電流を供給するトランジスターを有しており、
前記トランジスターは、高圧基準駆動部ではＰチャンネルトランジスターであり、低圧基準駆動部ではＮチャンネルトランジスターである
ことを特徴とする請求項１又は２に記載の光書き込み装置。
【請求項４】
前記複数の駆動部はそれぞれについて、高圧基準駆動部と低圧基準駆動部との何れとして動作するかを切り替える切り替え手段を備える
ことを特徴とする請求項１又は２に記載の光書き込み装置。
【請求項５】
前記制御電圧よりも低い基準電圧は接地電圧である
ことを特徴とする請求項１から４の何れかに記載の光書き込み装置。
【請求項６】
請求項１から５の何れかに記載の光書き込み装置を備える
ことを特徴とする画像形成装置。
【請求項７】
形成すべき画像の解像度に応じたドットパターンで画像形成を実行する画像形成装置であって、
請求項４に記載の光書き込み装置と、
前記解像度に応じて前記切り替え手段を制御する制御手段と、を備える
ことを特徴とする画像形成装置。
【請求項８】
前記制御手段は、高圧基準駆動部から駆動電流の供給を受ける１以上の発光素子と、低圧基準駆動部から駆動電流の供給を受ける１以上の発光素子と、が配列方向に沿って交互に配列される周期を解像度に応じて制御し、
前記周期は解像度が高いほど小さい
ことを特徴とする請求項７に記載の画像形成装置。
【発明の詳細な説明】
【技術分野】
【０００１】
本発明は、光書き込み装置及び画像形成装置に関する。
【背景技術】
【０００２】
近年、電子写真方式の画像形成装置においては、感光体を露光して静電潜像を形成する際に用いられる光書き込み装置として低コスト化並びに小型化が可能なＯＬＥＤ−ＰＨ（Organic Light Emitting Diode - Print Head）の技術開発が進められている。ＯＬＥＤ−ＰＨは、ＴＦＴ（Thin film Transistor）基板上にＯＬＥＤを一体形成することによって、製造コストを低減することができる。
【０００３】
ＯＬＥＤ−ＰＨにおいては、ＯＬＥＤが主走査方向に沿ってライン状に配設されており、ＯＬＥＤの発光量を制御する駆動回路が個々のＯＬＥＤに近接配置されており、やはり主走査方向に沿ってライン状に配設されている。一方、画像形成装置本体から画像データを受け付けて、各駆動回路にＯＬＥＤの発光量を指定する光量制御信号を入力する駆動ＩＣ（Integrated Circuit）や、ＯＬＥＤ−ＰＨが電力供給を受けるための電源端子はＯＬＥＤ−ＰＨの長尺方向の一端側に配設されている。このため、駆動ＩＣや電源端子から各駆動回路に至る信号配線や電源配線は長尺になっている。
【０００４】
配線どうしが交差すると交差部において寄生容量が発生する。例えば、信号配線と電源配線が交差すると、寄生容量がカップリング容量として作用し、信号配線上で光量制御信号がオンオフしたときに、電源配線にノイズが重畳する。するとＯＬＥＤに供給される駆動電流が変動するので、ＯＬＥＤの発光量が変動してしまい、画像品質が劣化する恐れがある。
【０００５】
このような問題に対して、例えば、ＯＬＥＤを複数個ずつ区分したブロック単位ごとに、信号配線における光量制御信号のオンオフの論理レベルが電源配線との交差部において反転するように、信号配線上にインバーターを配する技術が提案されている（例えば、特許文献１を参照）。このようにすれば、複数の交差部において電源配線に重畳するノイズどうしが互いに相殺しあうことによって電源電圧の変動を抑制することができるので、画像品質の劣化を抑制することができる。
【先行技術文献】
【特許文献】
【０００６】
【特許文献１】特開２００８−１１７８８２号公報
【発明の概要】
【発明が解決しようとする課題】
【０００７】
しかしながら、配線に重畳するノイズの極性を反転させて相殺することができない場合もある。例えば、静電潜像が形成される感光体ドラムの周囲には、光書き込み装置以外にも帯電装置や現像装置が配設されており、これらの装置は高周波ノイズを発生させる。高周波ノイズが重畳して光量制御信号が変動すると画像に縞状の濃度ムラが発生するが、高周波ノイズの極性を反転させることはできないので、上記のような従来技術を応用して画質劣化を抑制することは難しい。
【０００８】
本発明は、上述のような問題に鑑みて為されたものであって、帯電装置や現像装置からの高周波ノイズに起因する画像劣化を抑制することができる光書き込み装置及び画像形成装置を提供することを目的とする。
【課題を解決するための手段】
【０００９】
上記目的を達成するため、本発明に係る光書き込み装置は、ライン状に配列された複数の電流駆動型発光素子と、前記発光素子ごとに供給すべき駆動電流量を指示する制御電圧を出力する制御部と、前記複数の発光素子ごとに設けられており、前記制御電圧と基準電圧との電圧差に応じて駆動電流を供給する複数の駆動部と、を備え、前記複数の駆動部のうち、１以上の駆動部は、前記基準電圧が前記制御電圧よりも高い高圧基準駆動部として動作し、前記１以上の駆動部以外の駆動部は、前記基準電圧が前記制御電圧よりも低い低圧基準駆動部として動作することを特徴とする。
【発明の効果】
【００１０】
このようにすれば、複数の駆動部のうち、基準電圧が制御電圧よりも高い駆動部と、基準電圧が制御電圧よりも低い駆動部とを備えることによって、ＡＣノイズによる光量の増減が発光素子によって異ならせるので、ＡＣノイズに起因する光量ムラ、延いては画像形成時のトナー濃度ムラを視認し難くすることができる。
この場合において、前記複数の発光素子は、高圧基準駆動部から駆動電流の供給を受ける１以上の発光素子と、低圧基準駆動部から駆動電流の供給を受ける１以上の発光素子と、が配列方向に沿って交互に配列されているのが望ましい。
【００１１】
また、前記複数の駆動部はそれぞれ基準電圧と制御電圧との電圧差に応じて駆動電流を供給するトランジスターを有しており、前記トランジスターは、高圧基準駆動部ではＰチャンネルトランジスターであり、低圧基準駆動部ではＮチャンネルトランジスターであってもよい。
また、前記複数の駆動部はそれぞれについて、高圧基準駆動部と低圧基準駆動部との何れとして動作するかを切り替える切り替え手段を備えるのが望ましい。
【００１２】
また、前記制御電圧よりも低い基準電圧は接地電圧であってもよい。
また、本発明に係る画像形成装置は、光書き込み装置を備えることを特徴とする。
また、本発明に係る画像形成装置は、形成すべき画像の解像度に応じたドットパターンで画像形成を実行する画像形成装置であって、ライン状に配列された複数の電流駆動型発光素子と、前記発光素子ごとに供給すべき駆動電流量を指示する制御電圧を出力する制御部と、前記複数の発光素子ごとに設けられており、前記制御電圧と基準電圧との電圧差に応じて駆動電流を供給する複数の駆動部であって、前記複数の駆動部のうち、１以上の駆動部は、前記基準電圧が前記制御電圧よりも高い高圧基準駆動部として動作し、前記１以上の駆動部以外の駆動部は、前記基準電圧が前記制御電圧よりも低い低圧基準駆動部として動作し、かつ、高圧基準駆動部と低圧基準駆動部との何れとして動作するかを切り替える切り替え手段をそれぞれ備える駆動部と、を備えた光書き込み装置と、前記解像度に応じて前記切り替え手段を制御する制御手段と、を備えることを特徴とする。
【００１３】
この場合において、前記制御手段は、高圧基準駆動部から駆動電流の供給を受ける１以上の発光素子と、低圧基準駆動部から駆動電流の供給を受ける１以上の発光素子と、が配列方向に沿って交互に配列される周期を解像度に応じて制御し、前記周期は解像度が高いほど小さいのが望ましい。
【図面の簡単な説明】
【００１４】
【図１】第１の実施の形態に係る画像形成装置の主要な構成を示す図である。
【図２】光書き込み装置１００の主要な構成を示す外観斜視図である。
【図３】ＯＬＥＤパネル２２０の主要な構成を示すブロック図である。
【図４】発光ブロック３１０の主要な構成を示す回路図である。
【図５】ＯＬＥＤパネル２２０の積層構造を例示する断面図である。
【図６】（ａ）はシフトレジスター４２０が出力するサンプルホールド信号を説明するタイミングチャートであり、（ｂ）はＡＣノイズが無い場合のキャパシター４１２毎の保持電圧を例示し、（ｃ）はＡＣノイズが無い場合のＯＬＥＤ２２１毎の発光量を例示し、（ｄ）はＡＣノイズによって制御電圧Ｖｄａｃが上昇した場合のキャパシター４１２毎の保持電圧を例示し、（ｅ）はＡＣノイズによって制御電圧Ｖｄａｃが上昇した場合のＯＬＥＤ２２１毎の発光量を例示し、（ｆ）はＡＣノイズによって制御電圧Ｖｄａｃが低下した場合のキャパシター４１２毎の保持電圧を例示し、（ｇ）はＡＣノイズによって制御電圧Ｖｄａｃが低下した場合のＯＬＥＤ２２１毎の発光量を例示する。
【図７】ＡＣノイズ、制御電圧Ｖｄａｃ及び画像イメージの関係を説明する図である。
【図８】（ａ）は空間周波数が低い筋ノイズを例示し、（ｂ）は空間周波数が高い筋ノイズを例示する。
【図９】第２の実施の形態に係る発光ブロック３１０の主要な構成を示す回路図である。
【図１０】第３の実施の形態に係る発光ブロック３１０の主要な構成を示す回路図である。
【図１１】（ａ）は画像モードが文字モードである場合のｄｏｔパターンを例示し、（ｂ）は画像モードが写真モードである場合のｄｏｔパターンを例示する。
【発明を実施するための形態】
【００１５】
以下、本発明に係る光書き込み装置及び画像形成装置の実施の形態について、図面を参照しながら説明する。
［１］第１の実施の形態
（１−１）画像形成装置の構成
まず、本発明の第１の実施の形態に係る画像形成装置の構成について説明する。
【００１６】
図１に示すように、画像形成装置１は、所謂タンデム方式のカラープリンターであって、イエロー（Ｙ）、マゼンタ（Ｍ）、シアン（Ｃ）及びブラック（Ｋ）のトナー像を形成する画像形成ステーション１１０Ｙ、１１０Ｍ、１１０Ｃ及び１１０Ｋを備えている。画像形成ステーション１１０Ｙ、１１０Ｍ、１１０Ｃ及び１１０Ｋは、矢印Ａ方向に回転する感光体ドラム１０１Ｙ、１０１Ｍ、１０１Ｃ及び１０１Ｋを有している。感光体ドラム１０１Ｙ、１０１Ｍ、１０１Ｃ及び１０１Ｋの周囲には外周面に沿って順に帯電装置１０２Ｙ、１０２Ｍ、１０２Ｃ及び１０２Ｋ、光書き込み装置１００Ｙ、１００Ｍ、１００Ｃ及び１００Ｋ、現像装置１０３Ｙ、１０３Ｍ、１０３Ｃ及び１０３Ｋ、１次転写ローラー１０４Ｙ、１０４Ｍ、１０４Ｃ及び１０４Ｋ及びクリーニング装置１０５Ｙ、１０５Ｍ、１０５Ｃ及び１０５Ｋが配設されている。
【００１７】
帯電装置１０２Ｙ、１０２Ｍ、１０２Ｃ及び１０２Ｋは感光体ドラム１０１Ｙ、１０１Ｍ、１０１Ｃ及び１０１Ｋの外周面を一様に帯電させる。この帯電処理の際に、帯電装置１０２Ｙ、１０２Ｍ、１０２Ｃ及び１０２Ｋは高圧高周波数の放電を行うため、高周波ノイズ（以下、「ＡＣノイズ」という。）が発生する。
光書き込み装置１００Ｙ、１００Ｍ、１００Ｃ及び１００Ｋは感光体ドラム１０１Ｙ、１０１Ｍ、１０１Ｃ及び１０１Ｋを露光して静電潜像を形成する。
【００１８】
現像装置１０３Ｙ、１０３Ｍ、１０３Ｃ及び１０３ＫはＹＭＣＫ各色のトナーを供給して静電潜像を現像し、ＹＭＣＫ各色のトナー像を形成する。この現像処理の際に、トナーを感光体ドラム１０１Ｙ、１０１Ｍ、１０１Ｃ及び１０１Ｋの外周面上に静電吸着させるために、現像装置は高圧高周波数の現像バイアスを用いるため、ＡＣノイズが発生する。
１次転写ローラー１０４Ｙ、１０４Ｍ、１０４Ｃ及び１０４Ｋは感光体ドラム１０１Ｙ、１０１Ｍ、１０１Ｃ及び１０１Ｋが担持するトナー像を中間転写ベルト１０６へ静電転写する（１次転写）。クリーニング装置１０５Ｙ、１０５Ｍ、１０５Ｃ及び１０５Ｋは、１次転写後に感光体ドラム１０１Ｙ、１０１Ｍ、１０１Ｃ及び１０１Ｋの外周面上に残留する電荷を除電すると共に残留トナーを除去する。
【００１９】
中間転写ベルト１０６は、無端状のベルトであって、２次転写ローラー対１０７及び従動ローラー１０８、１０９に張架されており、矢印Ｂ方向に回転走行する。この回転走行に合わせて１次転写することによって、ＹＭＣＫ各色のトナー像が互いに重ね合わされカラートナー像が形成される。中間転写ベルト１０６はカラートナー像を担持した状態で回転走行することによって、カラートナー像を２次転写ローラー対１０７の２次転写ニップまで搬送する。
【００２０】
２次転写ローラー対１０７を構成する２つのローラー間には２次転写電圧が印加されており、中間転写ベルト１０６によるカラートナー像の搬送にタイミングを合わせて給紙トレイ１２０から記録シートＳが供給されると、２次転写ニップにおいてカラートナー像が記録シートＳに静電転写される（２次転写）。
記録シートＳは、カラートナー像を担持した状態で定着装置１３０まで搬送され、カラートナー像を熱定着された後、排紙トレイ１４０上へ排出される。
【００２１】
画像形成装置１は、更に制御部１５０を備えている。制御部１５０は、ＰＣ（Personal Computer）等の外部装置から印刷ジョブを受け付けると、画像形成装置１の動作を制御して画像形成を実行させる。
（１−２）光書き込み装置１００の構成
次に、光書き込み装置１００の構成について説明する。
【００２２】
光書き込み装置１００は、所謂ＯＬＥＤ−ＰＨ（Organic Light Emitting Diode - Print Head）であって、図２に示すように、光書き込み装置１００は、ＯＬＥＤパネル２２０、レンズホルダー２００、レンズアレイ２１０及び基準ホルダー２３０を備えている。
ＯＬＥＤパネル２２０は、不図示のＴＦＴ回路が形成されたガラス基板２２２を有している。ＴＦＴ回路上では、ライン状に配列された複数（本実施の形態においては、１５，０００個）のＯＬＥＤ２２１が実装されている。なお、ＯＬＥＤ２２１は、１列に配列されていてもよいし、複数列が千鳥配置されていてもよい。
【００２３】
レンズアレイ２１０は、長尺部材で、当該長尺方向に２列以上で千鳥配列された複数のロッドレンズ２１１を樹脂２１２にて固着したものであり、長尺方向が主走査方向になるように配設される。レンズアレイ２１０は、ＯＬＥＤ２２１の出射光を感光体ドラム１１０の外周面上に集光する。レンズアレイ２１０としては、例えば、ＳＬＡ（Selfoc lens array。Selfocは日本板硝子株式会社の登録商標。）を用いることができる。
【００２４】
レンズホルダー２００は、光軸方向に貫通するスリット２０１を有する主走査方向に長尺の樹脂製部材である。スリット２０１もまた主走査方向に長尺になっている。レンズホルダー２００は、スリット２０１内にレンズアレイ２１０を挿入した状態で、副走査方向におけるレンズアレイ２１０の側壁面２１３と、スリット２０１の内壁面２０２とを接着固定することによって、レンズアレイ２１０を保持する。
【００２５】
基準ホルダー２３０は、ＳＵＳ（Stainless Steel）等の鋼材からなる板金部材である。基準ホルダー２３０の支持面には、レンズホルダー２００とＯＬＥＤパネル２２０とが固定されており、これによってＯＬＥＤ２２１、ロッドレンズ２１１及び感光体ドラム１１０の位置関係が規定される。
なお、図２においては、光書き込み装置１００を制御部１５０等、画像形成装置１が備える他の装置との接続するためのケーブル等の図示が省略されている。
（１−３）ＯＬＥＤパネル２２０
次に、ＯＬＥＤパネル２２０の構成について説明する。
【００２６】
図３に示すように、本実施の形態に係るＯＬＥＤパネル２２０は、駆動ＩＣ（Integrated Circuit）３０１と１５０個の発光ブロック３１０とを備えており、駆動ＩＣ３０１は、各発光ブロック３１０に１対１に対応する１５０個のＤＡＣ（Digital to Analogue Converter）３０２を内蔵している。各発光ブロック３１０には、ＯＬＥＤ２２１が１００個ずつ割り当てられている。
【００２７】
駆動ＩＣ３０１は、制御部１５０から画像データを受け付けると、主走査期間ごとに各ＤＡＣ３０２に画像データを１００個ずつ分配する。ＤＡＣ３０２は、割り当てられた画像データをＤＡ変換することによって制御電圧Ｖｄａｃを生成し、生成した制御電圧Ｖｄａｃを順次、発光ブロック３１０に入力する。
図４に示すように、発光ブロック３１０は、１００個のＯＬＥＤ２２１、ＯＬＥＤ２２１毎に設けられた駆動部４０１及びシフトレジスター４２０を備えている。ＤＡＣ３０２が出力した制御電圧Ｖｄａｃは、制御配線４３０を経由して発光ブロック３１０に至り、更に制御配線４３０から引き出された引き込み配線４３１を経由して、シフトレジスター４２０が選択した駆動部４０１に入力される。駆動部４０１は制御電圧Ｖｄａｃに応じた駆動電流ＩｄをＯＬＥＤ２２１に供給する。
【００２８】
主走査方向にライン状に配列されたＯＬＥＤ２２１のうち、主走査方向における偶数番目のＯＬＥＤ２２１に駆動電流Ｉｄを供給する駆動部４０１（以下、「駆動部４０１Ａ」という。）は、奇数番目のＯＬＥＤ２２１に駆動電流Ｉｄを供給する駆動部４０１（以下、「駆動部４０１Ｂ」という。）と回路構成が異なっている。
駆動部４０１Ａは、アナログスイッチ４１１、キャパシター４１２Ａ及び駆動用トランジスター４１３を備えている。
【００２９】
アナログスイッチ４１１は、シフトレジスター４２０が出力するサンプルホールド信号ＳＨに応じて、引き込み配線４３１とキャパシター４１２Ａの一方の端子との電気的な接続をオンオフする。キャパシター４１２Ａの他方の端子は基準電源４１４に接続されている。このため、キャパシター４１２Ａは、アナログスイッチ４１１がオンした状態では基準電源４１４が供給する基準電圧Ｖｄｄと制御電圧Ｖｄａｃとの電圧差が印加され、アナログスイッチ４１１がオフした状態では当該電圧差を保持する。
【００３０】
キャパシター４１２Ａの２つの端子は、駆動用トランジスター４１３のソース端子とゲート端子とにそれぞれ接続されている。このため、キャパシター４１２Ａの保持電圧がゲート−ソース電圧Ｖｇｓとして駆動用トランジスター４１３に印加されると、当該保持電圧に応じたドレイン電流がＯＬＥＤ２２１の駆動電流ＩｄとしてＯＬＥＤ２２１に供給される。
【００３１】
駆動部４０１Ｂは、アナログスイッチ４１１、キャパシター４１２Ｂ及び駆動用トランジスター４１３に加えて、抵抗素子４１５及び電圧反転用トランジスター４１６を備えている。
アナログスイッチ４１１は、シフトレジスター４２０が出力するサンプルホールド信号ＳＨに応じて、引き込み配線４３１と、抵抗素子４１５の一方の端子並びに電圧反転用トランジスター４１６のゲート端子との電気的な接続をオンオフする。抵抗素子４１５は電圧反転用トランジスター４１６のゲート電圧を安定させるために設けられている。
【００３２】
電圧反転用トランジスター４１６は、ドレイン端子が接地され、ソース端子がキャパシター４１２Ｂの一方の端子に接続されており、インバーター回路を構成している。これによって、制御電圧Ｖｄａｃの基準電位が接地電圧Ｖｇｎｄから基準電圧Ｖｄｄに変換されるので、基準電圧Ｖｄｄと電圧反転用トランジスター４１６のソース電圧との電圧差が、制御電圧Ｖｄａｃと接地電圧Ｖｇｎｄとの電圧差に等しくなるように、ソース電圧が出力される。
【００３３】
キャパシター４１２Ｂは、アナログスイッチ４１１がオンした状態では電圧反転用トランジスター４１６のソース電圧と基準電圧Ｖｄｄとの電圧差が印加され、アナログスイッチ４１１がオフした状態では当該電圧差を保持する。
キャパシター４１２Ｂの２つの端子は、駆動用トランジスター４１３のソース端子とゲート端子とにそれぞれ接続されている。このため、キャパシター４１２Ｂの保持電圧がゲート−ソース電圧Ｖｇｓとして駆動用トランジスター４１３に印加されると、当該保持電圧に応じたドレイン電流がＯＬＥＤ２２１の駆動電流ＩｄとしてＯＬＥＤ２２１に供給される。
【００３４】
なお、ＯＬＥＤパネル２２０においては、すべてのＯＬＥＤ２２１が接地されており、図５に示すように、ガラス基板２２２上にＩＴＯ（Indium Titan Oxide）配線５０１、ＯＬＥＤ２２１、絶縁膜５０２及び接地用のアルミニウム配線５０３を順次形成することによって、ＯＬＥＤパネル２２０を製造することができる。従って、ＯＬＥＤパネル２２０を構成する層数が少なくて済むので製造コストを低減することができる。
【００３５】
また、上記においては、駆動用トランジスター４１３がＰチャンネルトランジスターである場合を例にとって説明したが、本発明がこれに限定されないのは言うまでもなく、Ｐチャンネルトランジスターに代えてＮチャンネルトランジスターを用いてもよい。
（１−４）ＯＬＥＤパネル２２０の動作
次に、ＯＬＥＤパネル２２０の動作について説明する。
【００３６】
光書き込みを行う際には、まず駆動ＩＣ３０１からシフトレジスター４２０に水平同期信号Ｈｓｙｎｃが入力される。この水平同期信号Ｈｓｙｎｃに同期して、シフトレジスター４２０は各駆動部４１０に順次サンプルホールド信号ＳＨを入力する（図６（ａ））。
以下、すべてのＯＬＥＤ２２１の目標光量が同じになっており、ＤＡＣ３０２がすべての駆動部４１０に対して同じ制御電圧Ｖｄａｃを出力する場合を例にとって、キャパシター４１２に印加される電圧差（以下、「キャパシター電圧Ｖｃａｐ」という。）について説明する。
【００３７】
制御電圧ＶｄａｃにＡＣノイズ成分が重畳していない場合には、図６（ｂ）に示すように、駆動部４０１Ａのキャパシター４１２Ａに印加されるキャパシター電圧Ｖｃａｐと、駆動部４０１Ｂのキャパシター４１２Ｂに印加されるキャパシター電圧Ｖｃａｐとが等しくなる。従って、図６（ｃ）に示すように、駆動部４０１ＡがＯＬＥＤ２２１に供給する駆動電流Ｉｄと、駆動部４０１ＢがＯＬＥＤ２２１に供給する駆動電流Ｉｄとが等しくなるので、すべてのＯＬＥＤ２２１が目標光量で発光する。
【００３８】
図７に示すように、制御電圧ＶｄａｃにＡＣノイズ成分が重畳すると、制御電圧ＶｄａｃはＡＣノイズの位相に応じて上昇したり低下したりする。ノイズ成分が重畳することによって制御電圧Ｖｄａｃが上昇した場合には、図６（ｄ）に示すように、制御電圧Ｖｄａｃと基準電圧Ｖｄｄとの電圧差が小さくなるので、キャパシター４１２Ａに印加されるキャパシター電圧Ｖｃａｐが小さくなる一方、制御電圧Ｖｄａｃと接地電圧Ｖｇｎｄとの電圧差は大きくなるので、キャパシター４１２Ｂに印加されるキャパシター電圧Ｖｃａｐは大きくなる。
【００３９】
従って、図６（ｅ）に示すように、駆動部４０１Ａが供給する駆動電流Ｉｄは増加するので、ＯＬＥＤ２２１の発光量が増加し、駆動部４０１Ｂが供給する駆動電流Ｉｄは減少するので、ＯＬＥＤ２２１の発光量が減少する。
この場合において、ＯＬＥＤ２２１の発光量の目標光量からの乖離量の絶対値は、発光量が増加するか減少するかに関わらず、隣り合うＯＬＥＤ２２１どうしで概ね同じであるため、隣り合うＯＬＥＤ２２１どうしの平均発光量は概ね目標光量に一致する。また、図８（ａ）に示すように空間周波数が低い濃度むらが視認し易いのに対して、図８（ｂ）に示すように空間周波数が高い濃度むらは視認し難い。隣り合うＯＬＥＤ２２１どうしでの光量変動に起因する濃度ムラは空間周波数が高いため、ＡＣノイズに起因する濃度ムラを視認し難くすることができる。
【００４０】
ノイズ成分が重畳することによって制御電圧Ｖｄａｃが低下した場合には、図６（ｆ）に示すように、制御電圧Ｖｄａｃと基準電圧Ｖｄｄとの電圧差が大きくなるので、キャパシター４１２Ａに印加されるキャパシター電圧Ｖｃａｐが大きくなる一方、制御電圧Ｖｄａｃと接地電圧Ｖｇｎｄとの電圧差は小さくなるので、キャパシター４１２Ｂに印加されるキャパシター電圧Ｖｃａｐは小さくなる。
【００４１】
その結果、図６（ｇ）に示すように、駆動部４０１Ａが供給する駆動電流Ｉｄは減少して、ＯＬＥＤ２２１の発光量が減少し、駆動部４０１Ｂが供給する駆動電流Ｉｄは増加して、ＯＬＥＤ２２１の発光量が増加する。この場合においても、ノイズ成分の頂上によって制御電圧Ｖｄａｃが上昇する場合と同様、濃度ムラを視認し難くすることができる。
［２］第２の実施の形態
次に、本発明の第２の実施の形態について説明する。本実施の形態に係る画像形成装置は、上記第１の実施の形態に係る画像形成装置１と概ね共通の構成を備える一方、駆動部４０１Ｂの回路構成において相違している。以下においては主として相違点に着目して説明する。なお、本明細書において、実施の形態及び変形例の間で共通する部材等については共通の符号が付与されている。
【００４２】
本実施の形態に係るＯＬＥＤパネル２２０の構成について説明する。
図９に示すように、本実施の形態に係るＯＬＥＤパネル２２０は、上記第１の実施の形態に係るＯＬＥＤパネル２２０と概ね共通の回路構成を備えており、駆動部４０１Ｂの回路構成のみが異なっている。
本実施の形態に係る駆動部４０１Ｂは、アナログスイッチ４１１、キャパシター４１２Ａ及び駆動用トランジスター４１３Ｎを備えている。駆動用トランジスター４１３Ｎは、Ｎチャンネルトランジスターである。
【００４３】
アナログスイッチ４１１は、シフトレジスター４２０が出力するサンプルホールド信号ＳＨに応じて、引き込み配線４３１とキャパシター４１２の一方の端子との電気的な接続をオンオフする。キャパシター４１２の他方の端子は接地されている。このため、キャパシター４１２は、アナログスイッチ４１１がオンした状態では制御電圧Ｖｄａｃと接地電圧Ｖｇｎｄとの電圧差が印加され、アナログスイッチ４１１がオフした状態では当該電圧差を保持する。
【００４４】
キャパシター４１２の２つの端子は、駆動用トランジスター４１３Ｎのソース端子とゲート端子とにそれぞれ接続されている。駆動用トランジスター４１３Ｎのドレイン端子はＯＬＥＤ２２１のカソード端子に接続されており、ＯＬＥＤ２２１のアノード端子は基準電源４１４に接続されている。また、駆動用トランジスター４１３Ｎのソース端子は接地されている。
【００４５】
このため、キャパシター４１２の保持電圧がゲート−ソース電圧Ｖｇｓとして駆動用トランジスター４１３Ｎに印加されると、当該保持電圧に応じたドレイン電流がＯＬＥＤ２２１の駆動電流ＩｄとしてＯＬＥＤ２２１に供給される。
このように、本実施の形態に係る駆動部４０１Ｂは、上記第１の実施の形態に係る駆動部４０１Ｂと同様に、制御電圧Ｖｄａｃと接地電圧Ｖｇｎｄとの電圧差に応じた駆動電流をＯＬＥＤ２２１に供給する。従って、本実施の形態に係る光書き込み装置１００もまた、上記第１の実施の形態に係る光書き込み装置１００と同様に、ＡＣノイズに起因する濃度ムラを視認し難くすることができる。
【００４６】
また、本実施の形態においては、上記第１の実施の形態とは異なってインバーター回路が不要なので、ＯＬＥＤパネル２２０の回路構成を簡素化することができ、ＯＬＥＤパネル２２０を小型化することができる。
［３］第３の実施の形態
次に、本発明の第３の実施の形態について説明する。
【００４７】
本実施の形態に係る画像形成装置は、上記第１の実施の形態に係る画像形成装置１概ね共通の構成を備える一方、駆動部４０１の回路構成において相違している。以下においては主として相違点に着目して説明する。
図１０に示すように、本実施の形態においては、駆動部４０１の選択スイッチ１０００を備えている。選択スイッチ１０００は、駆動ＩＣ３０１からの選択信号Ｓｅｌに従って、電圧反転用トランジスター４１６のゲート端子とソース端子との何れかを択一的に駆動用トランジスター４１３のゲート端子に接続する。
【００４８】
選択スイッチ１０００が電圧反転用トランジスター４１６のゲート端子を接続した場合には、駆動用トランジスター４１３のゲート−ソース電圧Ｖｇｓとして、基準電圧Ｖｄｄと制御電圧Ｖｄａｃとの電圧差が印加される。すなわち、駆動部４０１は上記第１の実施の形態に係る駆動部４０１Ａとして動作する。
また、選択スイッチ１０００が電圧反転用トランジスター４１６のソース端子を接続した場合には、駆動用トランジスター４１３のゲート−ソース電圧Ｖｇｓとして、接地電圧Ｖｇｎｄと制御電圧Ｖｄａｃとの電圧差が印加される。すなわち、駆動部４０１は上記第１の実施の形態に係る駆動部４０１Ｂとして動作する。
【００４９】
従って、本実施の形態によれば、基準電圧Ｖｄｄと接地電圧Ｖｇｎｄとの何れを基準として制御電圧との電圧差を駆動用トランジスター４１３に印加するかを、ＯＬＥＤ２２１毎に指定することができる。
また、印刷ジョブにおいて指定された画質モードが文字モード（150lpi（Line per Inch））であるか写真モード（190lpi）であるかによって階調を再現するｄｏｔパターンの周期が異なる。例えば、文字モードではｄｏｔパターンが８ｄｏｔ周期になり（図１１（ａ））、写真モードでは６ｄｏｔ周期になる（図１１（ｂ））。
【００５０】
このｄｏｔパターンの周期と、ＯＬＥＤ２２１毎の選択スイッチ１０００の接続状態の周期とが揃っていないと、ＡＣノイズに起因してモアレ状の濃度ムラが発生するおそれがある。また、何れかの画質モードのｄｏｔ周期に揃えた状態に選択スイッチ１０００の接続状態の周期を固定すると、ｄｏｔ周期が異なる他の画質モードで濃度ムラが発生するおそれがある。
【００５１】
これに対して、画質モードに応じて選択スイッチ１０００の接続状態を切り替えて、画質モード毎のｄｏｔ周期に選択スイッチ１０００の接続状態を揃えれば、何れの画質モードにおいても濃度ムラを抑制することができる。
また、このばあいにおいて、主走査ライン毎にｄｏｔパターンが異なる場合には、選択スイッチ１０００の接続状態も主走査ライン毎に変化させれば、濃度ムラを更に抑制することができる。
［４］変形例
以上、本発明を実施の形態に基づいて説明してきたが、本発明が上述の実施の形態に限定されないのは勿論であり、以下のような変形例を実施することができる。
（４−１）上記実施の形態においては、主走査方向に隣り合うＯＬＥＤ２２１どうしで制御電圧の基準となる電圧が異なる場合を例にとって説明したが、本発明がこれに限定されないのは言うまでもなく、これに代えて次のようにしてもよい。例えば、主走査方向に沿って順にＯＬＥＤ２２１が組分けされており、主走査方向に隣り合う組どうしで基準となる電圧が異なるようにしてもよい。この場合において、１つの組に属するＯＬＥＤ２２１の個数は一定であってもよいし、主走査位置ごとに異なっていてもよい。ただし、１つの組に属するＯＬＥＤ２２１の個数が少ないほどＡＣノイズに起因する濃度ムラを視認し難くすることができる。
（４−２）上記実施の形態においては、発光素子としてＯＬＥＤを用いる場合を例にとって説明したが、本発明がこれに限定されないのは言うまでもなく、ＯＬＥＤ以外の発光素子を用いた光書き込み装置に本発明を適用しても同様の効果を得ることができる。
（４−３）上記実施の形態においては、ＯＬＥＤ２２１どうしが互いに異なる画素を露光する場合を例にとって説明したが、本発明がこれに限定されないのは言うまでもなく、複数のＯＬＥＤ２２１が１つの画素を露光する多重露光方式の場合にも本発明を適用して同様の効果を得ることができる。この場合においては、主走査方向に隣り合う画素ごとに、制御電圧の基準となる電圧を切り替えるのが好適である。
（４−４）上記実施の形態においては、制御電圧の基準となる電圧が基準電圧Ｖｄｄと接地電圧Ｖｇｎｄである場合を例にとって説明したが、本発明がこれに限定されないのは言うまでもなく、接地電圧Ｖｇｎｄに代えて他の電圧を基準にしてもよい。ただし、制御電圧の基準となる２つの電圧のうち、一方の電圧はＯＬＥＤ２２１を点灯させる際の制御電圧よりも高く、他方の電圧はＯＬＥＤ２２１を点灯させる際の制御電圧よりも低くなっているのが望ましい。
【００５２】
また、これら２つの電圧は、制御電圧にＡＣノイズ成分が重畳していない場合には、ＯＬＥＤ２２１を点灯させる際の制御電圧との電圧差が互いに等しくなっているのが好適である。
（４−５）上記実施の形態においては、画像形成装置１がタンデム型カラープリンターである場合を例にとって説明したが、本発明がこれに限定されないのは言うまでもなく、タンデム型以外のカラープリンターやモノクロプリンターに本発明を適用してもよい。また、スキャナーを備えた複写装置やファクシミリ通信機能を備えたファクシミリ装置といった単機能機、或いはこれらの機能を兼ね備えた複合機（MFP: Multi-Function Peripheral）に本発明を適用しても同様の効果を得ることができる。
【産業上の利用可能性】
【００５３】
本発明に係る光書き込み装置及び画像形成装置は、ＡＣノイズに起因する画像ノイズを視認し難くする装置として有用である。
【符号の説明】
【００５４】
１…………画像形成装置
１００……光書き込み装置
４１１……アナログスイッチ
４１３Ｎ…Ｎチャンネルトランジスター
４１３Ｐ…Ｐチャンネルトランジスター
４１５……抵抗素子
４１６……電圧反転用トランジスター
１０００…選択スイッチ
【図１】
2018167429.tif 000003
【図２】
2018167429.tif 000004
【図３】
2018167429.tif 000005
【図４】
2018167429.tif 000006
【図５】
2018167429.tif 000007
【図６】
2018167429.tif 000008
【図７】
2018167429.tif 000009
【図８】
2018167429.tif 000010
【図９】
2018167429.tif 000011
【図１０】
2018167429.tif 000012
【図１１】
2018167429.tif 000013